(57)【要約】【課題】ホワイトバランス調整を行った後、さらに、特殊効果を施されているので、回路規模が小型化出来ない。【解決手段】画像を撮像する撮像手段３１、３２と、画像のホワイトバランスの調整を行うための制御信号である第１の制御信号を生成するホワイトバランス制御信号発生回路３９と、画像に特殊効果を施すための制御信号である第２の制御信号を生成する出力画像モード設定手段４１と、画像を調整するホワイトバランス調整手段３４と、画像に特殊効果を施す場合、第１の制御信号と第２の制御信号とに基づいて、画像のホワイトバランスの調整と画像に特殊効果を施す調整とを同時に行うための制御信号である第３の制御信号を生成する画像効果制御信号発生回路４０とを備え、画像に特殊効果を施す場合、ホワイトバランス調整手段３４は、第３の制御信号に基づいて画像の調整を行う。【選択図】　図１
2004112481.tif 000002
【特許請求の範囲】
【請求項１】
画像を撮像する撮像手段と、
前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
前記画像に特殊効果を施すかどうかを選択する特殊効果選択手段と、
前記画像に前記特殊効果を施す場合、前記第１の制御信号を前記第２の制御信号で補正して第３の制御信号を生成して出力し、前記画像に前記特殊効果を施さない場合、前記第１の制御信号を前記第３の制御信号として出力する合成制御手段とを備え、
前記画像調整手段は、前記第３の制御信号に基づいて前記画像の調整を行う撮像装置。
【請求項２】
画像を撮像する撮像手段と、
前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
特殊効果を施すかどうかを選択する特殊効果選択手段とを備え、
前記画像調整手段は、前記特殊効果選択手段が前記特殊効果を施すことを選択した場合、前記第２の制御信号に基づいて前記画像を調整し、前記特殊効果選択手段が前記特殊効果を施すことを選択しなかった場合、前記第１の制御信号に基づいて前記画像を調整する撮像装置。
【請求項３】
複数種類の特殊効果から、前記画像に施す特殊効果を選択する選択手段を備え、
前記特殊効果制御手段は、前記第２の制御信号として、その選択された種類の特殊効果を施すための制御信号を生成する請求項１または２に記載の撮像装置。
【請求項４】
前記複数種類の特殊効果は、少なくともクールモード及びウォームモードである請求項３記載の撮像装置。
【請求項５】
前記クールモードとは、前記画像に対して赤みを増加させた画像を生成する特殊効果である請求項４記載の撮像装置。
【請求項６】
前記ウォームモードとは、前記画像に対して青みを増加させた画像を生成する特殊効果である請求項４記載の撮像装置。
【請求項７】
画像を撮像する撮像工程と、
前記画像のホワイトバランスの調整を行うための制御信号である第１の制御信号を生成するホワイトバランス制御工程と、
前記画像に特殊効果を施すための制御信号である第２の制御信号を生成する特殊効果制御工程と、
前記画像を調整する画像調整工程と、
前記画像に特殊効果を施すかどうかを選択する特殊効果選択工程と、
前記画像に前記特殊効果を施す場合、前記第１の制御信号を前記第２の制御信号で補正して第３の制御信号を生成して出力し、前記画像に前記特殊効果を施さない場合、前記第１の制御信号を前記第３の制御信号として出力する合成制御工程とを備え、
前記画像調整工程は、前記第３の制御信号に基づいて前記画像の調整を行う撮像方法。
【請求項８】
画像を撮像する撮像工程と、
前記画像のホワイトバランスの調整を行うための制御信号である第１の制御信号を生成するホワイトバランス制御工程と、
前記画像に特殊効果を施すための制御信号である第２の制御信号を生成する特殊効果制御工程と、
前記画像を調整する画像調整工程と、
特殊効果を施すかどうかを選択する特殊効果選択工程とを備え、
前記画像調整工程は、前記特殊効果選択工程が前記特殊効果を施すことを選択した場合、前記第２の制御信号に基づいて前記画像を調整し、前記特殊効果選択工程が前記特殊効果を施すことを選択しなかった場合、前記第１の制御信号に基づいて前記画像を調整する撮像方法。
【請求項９】
撮像手段で撮像された画像に特殊効果を施すために、少なくともクールモード及びウォームモードを含む特殊効果の種類を選択するユーザインターフェースであって、
複数の指示方向のいずれかの指示方向を指示する指示方向キーと、
クールモードに対応する第１のアイコン、及びウォームモードに対応する第２のアイコンを少なくとも表示する表示手段とを備え、
前記第１のアイコン及び前記第２のアイコンは、それぞれ前記指示方向キーのいずれかの指示方向と対応付けられており、
前記指示方向キーのいずれかの指示方向が指示された際、その指示方向に対応するアイコンに対応する特殊効果の種類が選択されるユーザインターフェース。
【請求項１０】
前記表示手段は、前記第１のアイコン及び前記第２のアイコンを、表示画面の、それぞれそのアイコンが対応付けられている指示方向に表示する請求項９記載のユーザインターフェース。
【請求項１１】
請求項１記載の撮像装置の、前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
前記画像に特殊効果を施す場合、前記第１の制御信号と前記第２の制御信号とに基づいて、前記画像のホワイトバランスの調整と前記画像に特殊効果を施す調整とを同時に行うための制御信号である第３の制御信号を生成する合成制御手段としてコンピュータを機能させるためのプログラム。
【請求項１２】
請求項２記載の撮像装置の、前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
特殊効果を施すかどうかを選択する特殊効果選択手段としてコンピュータを機能させるためのプログラム。
【請求項１３】
請求項１１記載のプログラムを担持した媒体であって、コンピュータにより処理可能なことを特徴とする媒体。
【請求項１４】
請求項１２記載のプログラムを担持した媒体であって、コンピュータにより処理可能なことを特徴とする媒体。
【発明の詳細な説明】
【０００１】
【発明の属する技術分野】
本発明は撮像手段で撮像された画像に特殊効果を施すことが出来る撮像装置、撮像方法、ユーザインターフェース、媒体、及びプログラムに関するものである。
【０００２】
【従来の技術】
従来、写真などの撮影画像は忠実な色再現性が求められる一方で、芸術的な効果をねらって、故意に色バランスを崩した撮影が行われることがある。このような特殊効果は従来光学色補正フィルタを撮像レンズの全面に装着することにより実現されてきた。
【０００３】
図９に、このような特殊効果を光学色補正フィルタを用いることなく実現することが出来る撮像装置２１の構成を示す回路図を示す。以下、撮像装置２１の構成をその動作とともに説明する（例えば特許文献１参照）。
【０００４】
撮像装置２１は、撮像光学系１１、固体撮像素子（カラーＣＣＤ）１２、ホワイトバランスセンサ１３、ホワイトバランス制御部１４、ホワイトバランス用アンプ１５ｒ、１５ｂ、バッファ１６ｒ、１６ｇ、１６ｂ、利得決定用固定抵抗Ｒｒ１、Ｒｇ１、Ｒｂ１、オペアンプ１７ｒ、１７ｇ、１７ｂ利得可変スイッチ１８ｒ１〜１８ｒ３、１８ｇ１〜１８ｇ３、１８ｂ１〜１８ｂ３、利得可変抵抗Ｒｒ２１〜Ｒｒ２３、Ｒｇ２１〜Ｒｇ２３、Ｒｂ２１〜Ｒｂ２３、パターン発生部１９、及びスイッチ２０等から構成される。
【０００５】
撮像光学系１１には、撮像レンズ１１ａ及び絞り１１ｂが備えられており、撮像光学系１１を通して得られる被写体の光学像は、固体撮像素子（カラーＣＣＤ）１２に入射して結像される。この固体撮像素子１２は、赤（Ｒ）、緑（Ｇ）、青（Ｂ）を１組とする多数のカラー画素を備えており、入射光学像の各色波長に応じた電荷の蓄積を行うもので、この固体撮像素子１２により得られたカラー画像信号は、それぞれＲ信号、Ｇ信号、Ｂ信号として独立して出力される。
【０００６】
一方、ホワイトバランス制御部１４には、ホワイトバランス用アンプ１５ｒ、１５ｂが接続される。つまり、固体撮像素子１２の出力信号であるＲ信号、Ｇ信号、Ｂ信号は、そのＲ信号、及びＢ信号がそれぞれ対応するホワイトバランス用アンプ１５ｒ、１５ｇによりレベル調整されるもので、このホワイトバランス調整後のＲ、Ｇ、Ｂの各信号は、それぞれ対応するバッファ１６ｒ、１６ｇ、１６ｂ及び利得決定用固定抵抗Ｒｒ１、Ｒｇ１、Ｒｂ１を介して、個々の色信号を増幅するオペアンプ１７ｒ、１７ｇ、１７ｂに入力される。
【０００７】
このオペアンプ１７ｒ、１７ｇ、１７ｂには、それぞれの入出力端子間に並列にして３段の利得可変スイッチ１８ｒ１〜１８ｒ３、１８ｇ１〜１８ｇ３、１８ｂ１〜１８ｂ３が利得可変抵抗Ｒｒ２１〜Ｒｒ２３、Ｒｇ２１〜Ｒｇ２３、Ｒｂ２１〜Ｒｂ２３と共に設けられているもので、この各オペアンプ１７ｒ、１７ｇ、１７ｂにおける利得可変スイッチ１８ｒ１〜１８ｒ３、１８ｇ１〜１８ｇ３、１８ｂ１〜１８ｂ３のＯＮ／ＯＦＦ信号は、パターン発生部１９から供給される。
【０００８】
このパターン発生部１９は、スイッチ２０による色補正フィルタの指定に応じて、その指定された色補正フィルタと同等のＲ、Ｇ、Ｂレベル差が得られるよう、予め作成されたテーブルデータを参照して、上記各オペアンプ１７ｔ、１７ｇ、１７ｂにおける利得可変スイッチ１８ｒ１〜１８ｒ３、１８ｇ１〜１８ｇ３、１８ｂ１〜１８ｂ３をＯＮ／ＯＦＦ制御するものである。つまり、パターン発生部１９からは、指定された色補正フィルタに対応するＯＮ／ＯＦＦパターンのスイッチ制御信号が出力されることになる。
【０００９】
このように撮像装置２１は、ホワイトバランスセンサ１３にて、撮像されたＲ、Ｇ、Ｂ信号から検出したホワイトバランスの調整レベルに基づいて、ホワイトバランス制御部１４が、ホワイトバランス用アンプ１５ｒ、１５ｇにホワイトバランス調整のための制御信号を送り、この制御信号に基づいてホワイトバランス用アンプ１５ｒ、１５ｇは、それぞれ入力されてくるＲ信号及びＢ信号の信号レベルを調整する。これによりホワイトバランスの調整が行われる。そして、ホワイトバランスの調整が行われた後に、Ｒ信号、Ｇ信号、Ｂ信号をオペアンプ１７ｒ、１７ｇ、１７ｂでレベル調整を行うことにより色補正フィルタと同等の特殊効果をＲ信号、Ｇ信号、Ｂ信号に施す。
【００１０】
つまり、従来の撮像装置２１は、まず、撮像されたＲ信号、及びＢ信号のレベル調整を行うことによりホワイトバランスの調整を行い、その後色補正フィルタと同等の特殊効果をＲ信号、Ｇ信号、Ｂ信号に施していた。すなわち、従来の撮像装置２１はホワイトバランスの調整と特殊効果のための調整とを別々に行っていた。
【００１１】
また、上述したように特殊効果を施す際に、複数の特殊効果から一つの特殊効果を選択するためには、そのためのユーザインターフェースが必要である。
【００１２】
【特許文献１】
特開平６−３１９１５１号
【００１３】
【発明が解決しようとする課題】
しかしながら、従来の撮像装置２１では、撮像されたＲ、Ｇ、Ｂ信号は、ホワイトバランス用アンプでホワイトバランス調整のためのレベル調整が施された後、さらに、特殊効果を施すためのレベル調整が施されていた。このようにホワイトバランス調整を行った後、さらに、特殊効果を施されているので、回路規模が小型化出来ないという課題がある。
【００１４】
すなわち、従来の撮像装置ではより回路規模を小型化することが出来ないという課題がある。
【００１５】
また、特殊効果を施す際に、複数の特殊効果から一つの特殊効果を選択するためのユーザインターフェースとしてより簡単な操作で特殊効果を選択することが出来るユーザインターフェースが必要であるという課題がある。
【００１６】
本発明は、上記課題を考慮し、より回路規模を小型化することが出来る撮像装置、撮像方法、媒体、及びプログラムを提供することを目的とするものである。
【００１７】
また、本発明は、上記課題を考慮し、より簡単な操作で特殊効果を選択することが出来るユーザインターフェースを提供することを目的とするものである。
【００１８】
【課題を解決するための手段】
上述した課題を解決するために第１の本発明は、画像を撮像する撮像手段と、前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
前記画像に特殊効果を施すかどうかを選択する特殊効果選択手段と、
前記画像に前記特殊効果を施す場合、前記第１の制御信号を前記第２の制御信号で補正して第３の制御信号を生成して出力し、前記画像に前記特殊効果を施さない場合、前記第１の制御信号を前記第３の制御信号として出力する合成制御手段とを備え、
前記画像調整手段は、前記第３の制御信号に基づいて前記画像の調整を行う撮像装置である。
【００１９】
また、第２の本発明は、画像を撮像する撮像手段と、
前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
特殊効果を施すかどうかを選択する特殊効果選択手段とを備え、
前記画像調整手段は、前記特殊効果選択手段が前記特殊効果を施すことを選択した場合、前記第２の制御信号に基づいて前記画像を調整し、前記特殊効果選択手段が前記特殊効果を施すことを選択しなかった場合、前記第１の制御信号に基づいて前記画像を調整する撮像装置である。
【００２０】
また、第３の本発明は、複数種類の特殊効果から、前記画像に施す特殊効果を選択する選択手段を備え、
前記特殊効果制御手段は、前記第２の制御信号として、その選択された種類の特殊効果を施すための制御信号を生成する第１または第２の本発明の撮像装置である。
【００２１】
また、第４の本発明は、前記複数種類の特殊効果は、少なくともクールモード及びウォームモードである第３の本発明の撮像装置である。
【００２２】
また、第５の本発明は、前記クールモードとは、前記画像に対して赤みを増加させた画像を生成する特殊効果である第４の本発明の撮像装置である。
【００２３】
また、第６の本発明は、前記ウォームモードとは、前記画像に対して青みを増加させた画像を生成する特殊効果である第４の本発明の撮像装置である。
【００２４】
また、第７の本発明は、画像を撮像する撮像工程と、
前記画像のホワイトバランスの調整を行うための制御信号である第１の制御信号を生成するホワイトバランス制御工程と、
前記画像に特殊効果を施すための制御信号である第２の制御信号を生成する特殊効果制御工程と、
前記画像を調整する画像調整工程と、
前記画像に特殊効果を施すかどうかを選択する特殊効果選択工程と、
前記画像に前記特殊効果を施す場合、前記第１の制御信号を前記第２の制御信号で補正して第３の制御信号を生成して出力し、前記画像に前記特殊効果を施さない場合、前記第１の制御信号を前記第３の制御信号として出力する合成制御工程とを備え、
前記画像調整工程は、前記第３の制御信号に基づいて前記画像の調整を行う撮像方法である。
【００２５】
また、第８の本発明は、画像を撮像する撮像工程と、
前記画像のホワイトバランスの調整を行うための制御信号である第１の制御信号を生成するホワイトバランス制御工程と、
前記画像に特殊効果を施すための制御信号である第２の制御信号を生成する特殊効果制御工程と、
前記画像を調整する画像調整工程と、
特殊効果を施すかどうかを選択する特殊効果選択工程とを備え、
前記画像調整工程は、前記特殊効果選択工程が前記特殊効果を施すことを選択した場合、前記第２の制御信号に基づいて前記画像を調整し、前記特殊効果選択工程が前記特殊効果を施すことを選択しなかった場合、前記第１の制御信号に基づいて前記画像を調整する撮像方法である。
【００２６】
また、第９の本発明は、撮像手段で撮像された画像に特殊効果を施すために、少なくともクールモード及びウォームモードを含む特殊効果の種類を選択するユーザインターフェースであって、
複数の指示方向のいずれかの指示方向を指示する指示方向キーと、
クールモードに対応する第１のアイコン、及びウォームモードに対応する第２のアイコンを少なくとも表示する表示手段とを備え、
前記第１のアイコン及び前記第２のアイコンは、それぞれ前記指示方向キーのいずれかの指示方向と対応付けられており、
前記指示方向キーのいずれかの指示方向が指示された際、その指示方向に対応するアイコンに対応する特殊効果の種類が選択されるユーザインターフェースである。
【００２７】
また、第１０の本発明は、前記表示手段は、前記第１のアイコン及び前記第２のアイコンを、表示画面の、それぞれそのアイコンが対応付けられている指示方向に表示する第９の本発明のユーザインターフェースである。
【００２８】
また、第１１の本発明は、第１の本発明の撮像装置の、前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
前記画像に特殊効果を施す場合、前記第１の制御信号と前記第２の制御信号とに基づいて、前記画像のホワイトバランスの調整と前記画像に特殊効果を施す調整とを同時に行うための制御信号である第３の制御信号を生成する合成制御手段としてコンピュータを機能させるためのプログラムである。
【００２９】
また、第１２の本発明は、第２の本発明の撮像装置の、前記画像のホワイトバランスの調整を行うための制御信号である第１の制御信号を生成するホワイトバランス制御手段と、
前記画像に特殊効果を施すための制御信号である第２の制御信号を生成する特殊効果制御手段と、
前記画像を調整する画像調整手段と、
特殊効果を施すかどうかを選択する特殊効果選択手段としてコンピュータを機能させるためのプログラムである。
【００３０】
また、第１３の本発明は、第１１の本発明のプログラムを担持した媒体であって、コンピュータにより処理可能なことを特徴とする媒体である。
【００３１】
また、第１４の本発明は、第１２の本発明のプログラムを担持した媒体であって、コンピュータにより処理可能なことを特徴とする媒体である。
【００３２】
【発明の実施の形態】
以下に、本発明の実施の形態を図面を参照して説明する。
【００３３】
（第１の実施の形態）
まず、第１の実施の形態について説明する。
【００３４】
図１に、第１の実施の形態の撮像装置３０の構成を示す。
【００３５】
撮像装置３０は、撮像光学系３１、撮像素子３２、信号処理回路３３、ホワイトバランス調整手段３４、ホワイトバランス検出・設定手段３５、制御信号発生手段３８、出力画像モード設定手段４１から構成される。
【００３６】
撮像光学系３１は、撮像素子３２に撮影された被写体の光学像を撮像素子３２で結像させるための手段である。
【００３７】
撮像素子３２は、例えばカラーＣＣＤであり、撮像光学系３１を通して得られる被写体の光学像の各色波長に応じた電荷の蓄積を行う手段である。
【００３８】
信号処理回路３３は、撮像素子３２に蓄積された電荷を信号処理してＲ信号、Ｇ信号、Ｂ信号に変換して出力する回路である。
【００３９】
ホワイトバランス調整手段３４は、Ｒ、Ｇ、Ｂ信号それぞれの信号レベルを調整するためのアンプ３４ｒ、３４ｇ、２４ｂを有し、特殊効果を施す場合には、ホワイトバランスの調整と特殊効果を施すための調整とを同時にＲ信号、Ｇ信号、Ｂ信号に施す手段である。
【００４０】
ホワイトバランス検出・設定手段３５は、ホワイトバランスの調整の際のモードを設定するとともに、撮像された画像の色温度を検出する手段である。ホワイトバランス検出・設定手段３５は、ホワイトバランス／色温度検出回路３６、及びホワイトバランスモード設定手段３７を備えている。ホワイトバランス／色温度検出回路３６は、撮像素子３２で撮像された撮像画像のＲ、Ｇ、Ｂ信号から撮像された画像の色温度を検出する手段である。ホワイトバランスモード設定手段３７は、ホワイトバランスを調整する際のモードを設定する手段であり、例えば自動、屋内、蛍光灯、晴天、曇りの各モードのいずれかを設定する手段である。なおホワイトバランス調整のモードが自動とは、自動的にホワイトバランスの調整を行うモードを意味する。また、ホワイトバランス調整のモードが屋内とは、屋内で撮影された画像のホワイトバランスの調整を行うことを意味する。また、ホワイトバランスを調整する際のモードが蛍光灯とは、撮像された画像が蛍光灯の照明で撮影された場合のホワイトバランスの調整を行うことを意味する。また、ホワイトバランスを調整する際のモードが晴天とは、晴天の日に屋外で撮影された画像のホワイトバランスを調整することを意味する。また、ホワイトバランスを調整する際のモードが曇りとは、曇りの日に屋外で撮影された画像のホワイトバランスの調整を行うことを意味する。
【００４１】
制御信号発生手段３８は、撮像された画像のホワイトバランスの調整と撮像された画像に特殊効果を施すための調整とを同時に行うための制御信号を発生する手段である。制御信号発生手段３８は、ホワイトバランス制御信号発生回路３９と画像効果制御信号発生回路４０とを備えている。
【００４２】
ホワイトバランス制御信号発生回路３９は、撮像された画像のホワイトバランスを調整するための制御信号を発生する回路である。画像効果制御信号発生回路４０は、特殊効果を施す調整を行わない場合は、撮像された画像にホワイトバランスの調整を行う制御信号をホワイトバランス調整手段３４に出力し、特殊効果を施す調整を行う場合には、撮像された画像にホワイトバランスの調整と特殊効果を施す調整とを同時に施す制御信号をホワイトバランス調整手段３４に出力する回路である。
【００４３】
出力画像モード設定手段４１は、撮像された画像に特殊効果を施す場合にクールモードかウォームモードかを設定する手段である。なお、クールモードとは撮像された画像から青色を増加させた画像を生成する特殊効果であり、ウォームモードとは撮像された画像から赤色を増加させた画像を生成する特殊効果である。
【００４４】
図２に、ホワイトバランス制御信号発生回路３９の詳細な構成を示す。ホワイトバランス制御信号発生回路３９は、ホワイトバランス設定信号発生回路４４と選択回路４５とを備えている。ホワイトバランス設定信号発生回路４４は、ホワイトバランスモード設定手段３７で、自動以外のモードすなわち、屋内、蛍光灯、晴天、曇のいずれかのモードが設定された場合、そのモードに対応するホワイトバランスの調整を補正する制御信号を発生する回路である。選択回路４５は、ホワイトバランス設定手段３７で設定された各モードに対応するホワイトバランスの調整のための制御信号を選択する手段である。
【００４５】
図３に、画像効果制御信号発生回路４０の詳細な構成を示す。画像効果制御信号発生回路４０は、変換回路４２と選択回路４３とを備えている。
【００４６】
変換回路４２は、撮像された画像にホワイトバランスの調整と特殊効果を施す調整とを同時に施す場合、ホワイトバランスの調整を行う制御信号と、特殊効果を施す調整を行うための制御信号とから、同時にホワイトバランスの調整と特殊効果を施す調整とを行う制御信号を出力する回路である。選択回路４３は、特殊効果を施すか否かに応じて、ホワイトバランスの調整を行う制御信号かホワイトバランスの調整と特殊効果を施す調整とを同時に行う制御信号かのいずれかを選択する手段である。
【００４７】
なお、本実施の形態の撮像光学系３１及び撮像素子３２は本発明の撮像手段の例であり、本実施の形態の、ホワイトバランス／色温度検出回路３６及びホワイトバランス制御信号発生回路３９は本発明のホワイトバランス制御手段の例であり、本実施の形態の出力画像モード設定手段４１は本実施の形態の特殊効果制御手段の例であり、本実施の形態の出力画像モード設定手段４１は本発明の特殊効果選択手段の例であり、本実施の形態の画像効果制御信号発生回路４０は本発明の合成制御手段の例であり、本実施の形態のホワイトバランス制御信号発生回路３９から出力される制御信号は本発明の第１の制御信号の例であり、本実施の形態の出力画像モード設定手段４１から出力される制御信号は本発明の第２の制御信号の例であり、本実施の形態の画像効果制御信号発生回路４０から出力される制御信号は本実施の形態の第３の制御信号の例である。
【００４８】
次に、このような本実施の形態の動作を説明する。
【００４９】
画像を撮像する際、まず、被写体の光学像は、撮像光学系３１により撮像素子３２で結像される。
【００５０】
そして、撮像素子３２は、撮像光学系３１を通して得られる被写体の光学像の各色波長に応じた電荷の蓄積を行う。
【００５１】
信号処理回路３３は、撮像素子３２に蓄積された電荷を信号処理して撮像された画像をＲ信号、Ｇ信号、Ｂ信号に変換して出力する。
【００５２】
ホワイトバランス調整手段３４は、制御信号発生手段３８から出力されてくる制御信号に基づいて、アンプ３４ｒ、３４ｇ、２４ｂでそれぞれＲ、Ｇ、Ｂ信号の信号レベルを調整する。
【００５３】
このように本実施の形態では、撮像された画像に特殊効果を施す場合には、ホワイトバランス調整手段３４が制御信号発生手段３８から出力されてくる制御信号に基づいてＲ、Ｇ、Ｂ信号の信号レベルを調整することにより、ホワイトバランスの調整と特殊効果を施すための調整とを同時に一度に行う。
【００５４】
以下、制御信号発生手段３８から出力される制御信号が生成されるまでの動作を詳細に説明する。
【００５５】
まず、ホワイトバランス検出・設定手段３５は、ホワイトバランスの調整の際のモードを設定するとともに、撮像された画像の色温度を検出する。
【００５６】
すなわち、ホワイトバランス／色温度検出手段３６は、撮像された画像を構成する各画素のそれぞれの色信号の値の平均値を算出することにより撮像された画像の色温度を検出する。
【００５７】
一方、ホワイトバランスモード設定手段３７は、ホワイトバランスを調整する際のモードを設定する。例えば自動、屋内、蛍光灯、晴天、曇りの各モードのいずれかを設定する。
【００５８】
ホワイトバランス／色温度検出回路３６で検出された、撮像された画像の色温度に関する情報と、ホワイトバランスモード設定手段３７で設定されたホワイトバランスを調整する際のモードに関する情報とは、ともに、制御信号発生手段３８のホワイトバランス制御信号発生回路３９に出力される。
【００５９】
ホワイトバランス制御信号発生回路３９は、撮像された画像の色温度に関する情報とホワイトバランスを調整する際のモードに関する情報とが入力されると次のような処理を行う。
【００６０】
すなわち、図２において、ホワイトバランスのモードが自動の場合は、撮影された画像の色温度が白色の色温度になるように選択回路４５でＲ信号、Ｇ信号、Ｂ信号のそれぞれ補正量を算出し、選択回路からＲ信号、Ｇ信号、Ｂ信号を補正する補正量を示す制御信号を出力する。また、ホワイトバランスのモードが自動以外すなわち、屋内、蛍光灯、晴天、曇りの各モードのいずれかである場合、ホワイトバランス設定信号発生回路４４は、設定されているホワイトバランスのモードに応じて、Ｒ信号、Ｇ信号、Ｂ信号を補正する補正量を示す制御信号を選択回路４５に出力する。これを受けて選択回路４５は、ホワイトバランスのモードが自動の場合のＲ信号、Ｇ信号、Ｂ信号の補正量を算出するとともに、その算出された補正量をホワイトバランス設定信号発生回路４４から出力されてくるＲ信号、Ｇ信号、Ｂ信号の補正量でさらに補正する。このようにして、選択回路４５からは、撮像された画像のＲ信号、Ｇ信号、Ｂ信号をそれぞれ補正する補正量を示す制御信号が出力される。
【００６１】
一方、出力画像モード設定手段４１は、撮像された画像に特殊効果を施す場合にクールモードかウォームモードかを設定する。今、出力画像設定手段４１が特殊効果を施す場合にクールモードを設定したとする。この場合、出力画像モード設定手段４１は、画像効果制御信号発生回路４０にクールモード示す制御信号を出力する。
【００６２】
画像効果制御信号発生回路４０は、ホワイトバランス制御信号発生回路３９からホワイトバランスの調整のためのＲ信号、Ｇ信号、Ｂ信号の補正量を示す制御信号と、出力画像モード設定手段１１からクールモードを示す制御信号を受け取ると、以下の処理を行う。
【００６３】
すなわち、図３において、特殊効果としてクールモードを施す場合、変換回路４２は、ホワイトバランスの調整のためのＲ信号、Ｇ信号、Ｂ信号のそれぞれの補正量をさらに青色が増加するように補正する。すなわち、例えばＲ信号、Ｇ信号、Ｂ信号のそれぞれの補正量に色温度が２０００ケルビン増加した画像が得られる補正量をそれぞれ加算する。このようにしてホワイトバランスの調整とクールモードを施す調整とを同時に行うＲ信号、Ｇ信号、Ｂ信号の補正量が算出される。そして、算出された補正量を示す制御信号が選択回路４３に出力される。
【００６４】
また、選択回路４３にはホワイトバランス制御信号発生回路３９から直接ホワイトバランスの調整を行うための制御信号も入力されている。選択回路４３は、出力画像モード設定手段４１がクールモードを設定しているので、変換回路４２から出力される制御信号を選択して、ホワイトバランス調整手段３４にホワイトバランスの調整とクールモードの特殊効果を施す調整とを同時に行う制御信号を選択して出力する。
【００６５】
ホワイトバランス調整手段３４は、上述したように、画像効果制御信号発生回路４０からの制御信号に基づいて、信号処理回路３３から入力されてくるＲ信号、Ｇ信号、Ｂ信号をそれぞれレベル調整する。
【００６６】
このようにして、ホワイトバランス調整手段３４は、ホワイトバランスの調整と特殊効果を施すための調整とを同時に一度に行うことが出来る。
【００６７】
また、出力画像モード設定手段４１がウォームモードを設定している場合には、図３において、変換回路４２が、ホワイトバランスの調整のためのＲ信号、Ｇ信号、Ｂ信号のそれぞれの補正量をさらに赤色が増加するように補正すればよい。すなわち、例えばＲ信号、Ｇ信号、Ｂ信号のそれぞれの補正量に色温度が１０００ケルビン減少した画像が得られる補正量をそれぞれ加算する。このようにしてホワイトバランスの調整とクールモードを施す調整とを同時に行うＲ信号、Ｇ信号、Ｂ信号の補正量が算出される。そして、クールモードの場合と同様に、算出された補正量を示す制御信号が選択回路４３に出力される。これ以外は、クールモードの場合と同様である。
【００６８】
また、出力画像モード設定手段４１がクールモードもウォームモードも設定していない場合、すなわち、特殊効果を施す設定をしていない場合、図３の選択回路４３は、ホワイトバランス制御信号発生回路３９からの制御信号を選択してホワイトバランス調整手段３４に出力する。従って、この場合にはホワイトバランス調整手段３４でホワイトバランスの調整のみが行われる。
【００６９】
なお、本実施の形態では、ホワイトバランス調整手段３４が３つのアンプ３４ｒ、３４ｇ、３４ｂを備えているとして説明したが、アンプ３４ｇを備えていなくても本実施の形態と同等の効果を得ることが出来る。
【００７０】
このように本実施の形態によれば、撮像された画像に特殊効果を施す場合には、同時にホワイトバランス調整手段３４で同時にホワイトバランスの調整と特殊効果を施すための調整とを行うので、装置規模を小さくすることが出来る。
【００７１】
（第２の実施の形態）
次に、第２の実施の形態について説明する。
【００７２】
図４に、第２の実施の形態の撮像装置４８の構成を示す。
【００７３】
第２の実施の形態の撮像装置４８は、図１で説明した第１の実施の形態の撮像装置３０の制御信号発生手段３８の代わりに制御信号発生手段３８ａを備えている。
【００７４】
すなわち、第２の実施の形態の撮像装置４８は、図１で説明した第１の実施の形態の撮像装置３０の画像効果制御信号発生回路４０の代わりに画像効果制御信号発生回路４６を備えている。それ以外は第１の実施の形態と同様である。
【００７５】
図５に第２の実施の形態の画像効果制御信号発生回路４６の詳細な構成を示す。
【００７６】
画像効果制御信号発生回路４６は、変換回路４７と選択回路４３とを備えている。
【００７７】
変換回路４７は、出力画像モード設定手段４１で設定されたクールモードまたはウォームモードに応じたＲ信号、Ｇ信号、Ｂ信号の補正量を算出する回路である。
【００７８】
また、選択回路４３は、第１の実施の形態で説明したものと同様である。
【００７９】
なお、本実施の形態の撮像光学系３１及び撮像素子３２は本発明の撮像手段の例であり、本実施の形態の、ホワイトバランス／色温度検出回路３６及びホワイトバランス制御信号発生回路３９は本発明のホワイトバランス制御手段の例であり、本実施の形態の出力画像モード設定手段４１は本実施の形態の特殊効果制御手段の例であり、本実施の形態の出力画像モード設定手段４１は本発明の特殊効果選択手段の例であり、本実施の形態のホワイトバランス調整手段３４及び画像効果制御信号発生回路４６は本発明の画像調整手段の例であり、本実施の形態のホワイトバランス制御信号発生回路３９から出力される制御信号は本発明の第１の制御信号の例であり、本実施の形態の出力画像モード設定手段４１から出力される制御信号は本発明の第２の制御信号の例であり、本実施の形態の画像効果制御信号発生回路４０から出力される制御信号は本実施の形態の第３の制御信号の例である。
【００８０】
次に、このような本実施の形態の動作を第１の実施の形態との相違点を中心に説明する。
【００８１】
出力画像モード設定手段４１が、クールモードを設定するまでは第１の実施の形態と同様であるので説明を省略する。
【００８２】
出力画像モード設定手段４１がクールモードを設定した場合、出力画像設定手段４１は、画像効果制御信号発生回路４６にクールモードを示す制御信号を出力する。
【００８３】
画像効果制御信号発生回路４０は、ホワイトバランス制御信号発生回路３９からホワイトバランスの調整のためのＲ信号、Ｇ信号、Ｂ信号の補正量を示す制御信号と、出力画像モード設定手段１１からクールモードを示す制御信号を受け取ると、以下の処理を行う。
【００８４】
すなわち、図５において、特殊効果としてクールモードを施す場合、変換回路４２は、クールモードを施す場合のＲ信号、Ｇ信号、Ｂ信号のそれぞれの補正量を算出する。すなわち、Ｒ信号、Ｇ信号、Ｂ信号のぞれぞれの補正量は、色温度が２０００ケルビンだけ増加するような補正量とする。そして、変換回路４７は、Ｒ信号、Ｇ信号、Ｂ信号のそれぞれの補正量を示す制御信号を選択回路４３に出力する。
【００８５】
次に、選択回路４３は、出力画像モード設定手段４１がクールモードを設定しているので、ホワイトバランス制御信号発生回路３９から出力されたホワイトバランスを調整するための制御信号と、変換回路４７から出力されたクールモードを施すための制御信号とから、クールモードを施すための制御信号を選択して、ホワイトバランス調整手段３４に出力する。
【００８６】
また、出力画像モード設定手段４１がウォームモードを設定している場合には、
変換回路４７は、ウォームモードを施す場合のＲ信号、Ｇ信号、Ｂ信号のそれぞれの補正量を算出する。すなわち、Ｒ信号、Ｇ信号、Ｂ信号のぞれぞれの補正量は、色温度が１０００ケルビンだけ減少するような補正量とする。そして、変換回路４７はＲ信号、Ｇ信号、Ｂ信号のそれぞれの補正量を示す制御信号を選択回路４３に出力する。
【００８７】
次に、ウォームモードの場合にもクールモードの場合と同様に選択回路４３は、ホワイトバランス制御信号発生回路３９から出力されたホワイトバランスを調整するための制御信号と、変換回路４７から出力されたウォームモードを施すための制御信号とから、ウォームモードを施すための制御信号を選択して、ホワイトバランス調整手段３４に出力する。
【００８８】
また、出力画像モード設定手段４１がクールモードもウォームモードも設定しない場合、すなわち、特殊効果を施さない場合には、選択回路４３は、ホワイトバランス制御信号発生回路３９から出力されてくる制御信号を選択して、ホワイトバランス調整手段３４に出力する。
【００８９】
このように、第２の実施の形態の撮像装置は、出力画像モード設定手段４１がクールモードかウォームモードのいずれかの特殊効果を施すことを設定した場合、選択回路４３は、変換回路４７から出力される制御信号を選択して、ホワイトバランス調整手段３４に出力し、出力画像モード設定手段４１がクールモードもウォームモードも設定しなかった場合、選択回路４３は、ホワイトバランス制御信号発生回路３９から出力される制御信号を選択して、ホワイトバランス調整手段３４に出力する。
【００９０】
このように、第２の実施の形態の撮像装置４８は、特殊効果を施す場合には、撮像された画像に対してホワイトバランスの調整を行わず、特殊効果の調整のみを行い、特殊効果を施さない場合には、ホワイトバランスの調整のみを行う。それ以外は第１の実施の形態と同様である。
【００９１】
このように本実施の形態によれば、特殊効果を施す場合には、撮像された画像に対してホワイトバランスの調整を行わず、特殊効果の調整のみを行い。特殊効果を施さない場合には、ホワイトバランスの調整のみを行い、いずれの場合もそれらの調整をホワイトバランス調整手段３４で行うので、装置規模を小さくすることが出来る。
【００９２】
（第３の実施の形態）
次に、第３の実施の形態について説明する。
【００９３】
第３の実施の形態では、どのような特殊効果を施すかを選択するためのユーザインターフェースについて説明する。
【００９４】
図６に第３の実施の形態の撮像装置６１を示す。本実施の形態の撮像装置６１は、第１の実施の形態で説明した撮像装置３０と同様の動作を行うものとする。
【００９５】
図６の（ａ）は、撮像装置６１の正面図であり、図６の（ｂ）は、撮像装置６１を裏面から視た図である。
【００９６】
図６の（ａ）に示すように撮像装置６１の正面には調光センサ６２、フラッシュ６３などが配置されている。また、図６の（ｂ）に示すように撮像装置６１の裏面には、液晶ディスプレイである表示画面６４、メニューＯＮ／ＯＦＦキー６５、十字キー６６などが配置されている。表示画面６４は、撮像された画像や、特殊効果を施すための操作画面などを表示する手段である。
【００９７】
図７に十字キー６６の部分の拡大図を示す。十字キー６６は、左キー６７、右キー６８、上キー６９、下キー７０の４つの方向を指示するキーから構成されている。すなわち、十字キー６６は、表示画面６４において４つの方向を指示する手段である。
【００９８】
なお、本実施の形態の表示画面６４は本発明の表示手段の例であり、本実施の形態の十字キー６６は本発明の指示方向キーの例であり、本実施の形態のクールモードアイコンは本発明の第１のアイコンの例であり、本実施の形態のウォームモードアイコンは本発明の第２のアイコンの例である。
【００９９】
次に、このような本実施の形態の動作を説明する。
【０１００】
メニューＯＮ／ＯＦＦキー６５を押すことにより、表示画面６４にはメニュー画面が表示され、十字キーでメニュー画面を選択指示することにより、表示画面６４に図８に示す操作画面が表示される。
【０１０１】
すなわち、図８は、特殊効果の種類を選択するための操作画面であり、クールモードアイコン７１、ウォームモードアイコン７２、白黒モードアイコン７３がそれぞれ表示画面６４の左側、右側、及び下側に表示されている。
【０１０２】
図７の十字キー６６の左キー６７を押すことにより、クールモードアイコン７１を選択することが出来る。クールモードアイコン７１が選択された場合には、撮像された画像に施す特殊効果としてクールモードが選択される。
【０１０３】
また、図７の十字キー６６の右キー６７を押すことにより、ウォームモードアイコン７２を選択することが出来る。ウォームモードアイコン７２が選択された場合には、撮像された画像に施す特殊効果としてウォームモードが選択される。
【０１０４】
また、図７の十字キー６６の下キー７０を押すことにより白黒モードアイコン７３が選択される。白黒モードアイコン７３が選択された場合には、撮像された画像に施す特殊効果として撮像されたカラー画像を白黒画像に変換する特殊効果が選択される。
【０１０５】
このように本実施の形態のユーザインターフェースは、特殊効果の一種であるクールモードに対応するクールモードアイコン７１と、特殊効果の一種であるウォームモードに対応するウォームモードアイコン７２と、特殊効果の一種であるカラー画像を白黒画像に変換する特殊効果に対応する白黒モードアイコン７３とが表示画面６４に表示される。そして、これらのアイコンは、十字キー６６の左キー６７、右キー６８、上キー６９、下キー７０のいずれかとそれぞれ対応付けられている。左キー６７、右キー６８、上キー６９、下キー７０はそれぞれ表示画面６４の左側、右側、上側、下側を指示するキーである。
【０１０６】
そして、十字キー６６の左キー６７、右キー６８、上キー６９、下キー７０
のいずれかが押された場合、その押されたキーに対応するアイコンに対応する特殊効果が選択される。
【０１０７】
このように本実施の形態のユーザインターフェースを用いて特殊効果の種類を選択することにより、より簡単な操作で特殊効果を選択することが出来るようになる。
【０１０８】
なお、本発明に係るプログラムは、上述した本発明の撮像装置の全部又は一部の手段（又は、装置、素子、回路、部等）の機能をコンピュータにより実行させるためのプログラムであって、コンピュータと協働して動作するプログラムである。
【０１０９】
さらに、本発明に係る媒体は、上述した本発明の撮像装置の全部又は一部の手段の全部又は一部の機能をコンピュータにより実行させるためのプログラムを担持した媒体であり、コンピュータにより読み取り可能且つ、読み取られた前記プログラムが前記コンピュータと協動して前記機能を実行する媒体である。
【０１１０】
尚、本発明の上記「一部の手段（又は、装置、素子、回路、部等）」、本発明の上記「一部のステップ（又は、工程、動作、作用等）」とは、それらの複数の手段又はステップの内の、幾つかの手段又はステップを意味し、あるいは、一つの手段又はステップの内の、一部の機能又は一部の動作を意味するものである。
【０１１１】
又、本発明のプログラムの一利用形態は、コンピュータにより読み取り可能な記録媒体に記録され、コンピュータと協働して動作する態様であっても良い。
【０１１２】
又、本発明のプログラムの一利用形態は、伝送媒体中を伝送し、コンピュータにより読みとられ、コンピュータと協働して動作する態様であっても良い。
【０１１３】
又、本発明のデータ構造としては、データベース、データフォーマット、データテーブル、データリスト、データの種類などを含む。
【０１１４】
又、記録媒体としては、ＲＯＭ等が含まれ、伝送媒体としては、インターネット等の伝送媒体、光・電波・音波等が含まれる。
【０１１５】
又、上述した本発明のコンピュータは、ＣＰＵ等の純然たるハードウェアに限らず、ファームウェアや、ＯＳ、更に周辺機器を含むものであっても良い。（第７改訂
尚、以上説明した様に、本発明の構成は、ソフトウェア的に実現しても良いし、ハードウェア的に実現しても良い。
【０１１６】
【発明の効果】
以上説明したところから明らかなように、本発明は、より回路規模を小型化することが出来る撮像装置、撮像方法、媒体、及びプログラムを提供することが出来る。
【０１１７】
また、本発明は、より簡単な操作で特殊効果を選択することが出来るユーザインターフェースを提供することが出来る。
【図面の簡単な説明】
【図１】本発明の第１の実施の形態における撮像装置の構成を示す図
【図２】本発明の第１の実施の形態におけるホワイトバランス制御信号発生回路の構成を示す図
【図３】本発明の第１の実施の形態における画像効果制御信号発生回路の構成を示す図
【図４】本発明の第２の実施の形態における撮像装置の構成を示す図
【図５】本発明の第２の実施の形態における画像効果制御信号発生回路の構成を示す図
【図６】（ａ）本発明の第３の実施の形態における撮像装置の正面図
（ｂ）本発明の第３の実施の形態における撮像装置を裏側から視た図
【図７】本発明の第３の実施の形態におけるユーザインターフェースを構成する十字キーの構成を示す図
【図８】本発明の第３の実施の形態におけるユーザインターフェースの表示画面に表示された操作画面の一例を示す図
【図９】従来の撮像装置の構成を示す回路図
【符号の説明】
３０　撮像装置
３１　撮像光学系
３２　撮像素子
３３　信号処理回路
３４　ホワイトバランス調整手段
３４ｒ　アンプ
３４ｇ　アンプ
３４ｂ　アンプ
３５　ホワイトバランス検出・設定手段
３６　ホワイトバランス／色温度検出回路
３７　ホワイトバランスモード設定手段
３８　制御信号発生手段
３９　ホワイトバランス制御信号発生回路
４０　画像効果制御信号発生回路
４１　出力画像モード設定手段
４２　変換回路
４３　選択回路
４４　ホワイトバランス設定信号発生回路
４５　選択回路
４６　画像効果制御信号発生回路
４７　変換回路
４８　撮像装置
【図１】
2004112481.tif 000003
【図２】
2004112481.tif 000004
【図３】
2004112481.tif 000005
【図４】
2004112481.tif 000006
【図５】
2004112481.tif 000007
【図６】
2004112481.tif 000008
【図７】
2004112481.tif 000009
【図８】
2004112481.tif 000010
【図９】
2004112481.tif 000011